(57)【要約】  紙幣処理装置（紙幣入出金機）は、巻き取り式の第１の収納部（収納モジュール）と、第２の収納部と、搬送部と、識別部と、精査処理を行うときには、第１の収納部から紙幣を繰り出して第２の収納部に収納し、その後、第２の収納部に収納した紙幣を繰り出して第１の収納部に収納すると共に、識別部によって紙幣の識別を行うよう構成された制御部と、を備える。第１の収納部は、当該収納部の在高情報に対応づけられた目印を設けながら、紙幣を収納する。制御部は、第１の収納部の精査処理を行うときには、目印を基準にして第１の収納部から紙幣の一部を繰り出すと共に、識別部によって識別をし、この識別結果と、目印に対応づけられた在高情報とに基づいて第１の収納部の在高を確定する。
2012127525.tif 000002
【特許請求の範囲】
【請求項１】
紙幣を処理する紙幣処理装置であって、
前記紙幣をテープと共にリールに巻き取って収納すると共に、収納している紙幣を繰り出すよう構成された巻き取り式の、第１の収納部と、
前記紙幣の収納と繰出とが可能に構成された第２の収納部と、
前記第１の収納部と第２の収納部との間で紙幣を搬送するように構成された搬送部と、
前記搬送部によって搬送されている途中で前記紙幣の識別を行うよう構成された識別部と、
前記第１の収納部の在高を確定するための精査処理を行うときには、前記第１の収納部から紙幣を繰り出して前記第２の収納部に収納し、その後、当該第２の収納部に収納した紙幣を繰り出して前記第１の収納部に収納し、それと共に、前記識別部によって紙幣の識別を行うよう構成された制御部と、を備え、
前記制御部は、前記第１の収納部に紙幣を収納するときには、当該第１の収納部の在高情報に対応づけられた目印を設けながら、前記紙幣を収納し、
前記制御部はまた、前記精査処理を行うときには、前記目印を基準にして前記第１の収納部が収納する紙幣の一部を繰り出して、前記識別部によって識別すると共に、この識別結果と、前記目印に対応づけられた在高情報とに基づいて前記第１の収納部の在高を確定する紙幣処理装置。
【請求項２】
前記第１の収納部は、前記紙幣を所定間隔を隔てながらリールに巻き取って収納し、
前記目印は、前記第１の収納部に紙幣を収納する取引と取引との間に設けられかつ、前記所定間隔よりも広い間隔の区切りである請求項１に記載の紙幣処理装置。
【請求項３】
前記第１の収納部に収納する紙幣に設けられた固有のコードを読み取る読取部をさらに備え、
前記目印は前記第１の収納部に収納される紙幣の前記コードである請求項１又は２に記載の紙幣処理装置。
【請求項４】
前記目印は、前記第１の収納部の前記テープの長さ方向の位置によって特定される、前記テープ上での位置である請求項１〜３のいずれか１項に記載の紙幣処理装置。
【発明の詳細な説明】
【技術分野】
【０００１】
ここに開示する技術は、紙幣を処理する紙幣処理装置に関する。
【背景技術】
【０００２】
特許文献１は、紙幣入出金機を開示しており、この入出金機は、テープと共に紙幣をリールに巻き取って収納すると共に、収納している紙幣を繰り出すよう構成された巻き取り式の収納部を複数、備えている。巻き取り式の収納部は、紙幣を先入れ後出しに収納することから、この入出金機では、装置の小型化等を目的として、最高額紙幣を収納する巻き取り式の収納部を、紙幣を一時的に保留するための一時保留部としても機能させるようにしている。このために、この入出金機は、一取引中は、所定の収納間隔を隔てて、紙幣をリールに巻き取るのに対し、取引と取引（この取引は、一時保留の場合を含む）との間には、その収納間隔よりも広い間隔を設けるように構成されている。【０００３】
これに対し、特許文献２には、巻き取り式の収納部とは異なり、先入れ先出しに紙幣を収納する収納部を備えた紙幣入出金機が開示されている。
【先行技術文献】
【特許文献】
【０００４】
【特許文献１】特開平１１−２１９４６８号公報
【特許文献２】特開２０００−３３９５２０号公報
【発明の概要】
【発明が解決しようとする課題】
【０００５】
ところで、特許文献１，２に開示されているような入出金機は、入金処理時に次のような動作を行う。すなわち、投入口に投入された紙幣を一枚ずつ繰り出し、識別部において金種等の識別を行う。その後、その識別結果に基づいて、予め設定されている収納割当に従って、各紙幣を、金種別や正損別に応じていずれかの収納部に収納する。また、出金処理時には、指定された金種の紙幣を、それが収納されている収納部から必要枚数だけ繰り出し、それを出金口に払い出す。【０００６】
ここで、入金処理時に、識別部において識別及び計数をした後、各収納部に紙幣を収納するまでの搬送中に、搬送異常が発生する場合がある。この搬送異常には、紙幣が斜めに搬送される場合（斜行）、複数の紙幣が所定の間隔を隔てないで搬送される場合（連鎖）、及び、複数の紙幣が重なって搬送される場合（重送）が含まれるが、入金処理時に連鎖や重送が発生したときには、搬送されている紙幣の順番がずれてしまって、紙幣が所望の収納部に収納されなくなってしまう場合がある。この場合、各収納部に収納されている紙幣の金種や枚数が不確定になってしまう。また、出金処理時に、連鎖や重送が発生したときにも、収納部から繰り出された紙幣の枚数が不確定になり、その結果、各収納部に収納されている紙幣の枚数が不確定になってしまう。【０００７】
入金処理時や出金処理時に搬送異常が発生したときには、収納部に収納されている紙幣の金種と枚数とを確定させる処理が必要になる。この処理は、精査処理と呼ばれ、具体的に、精査処理は、各収納部に収納されている紙幣を全て、一旦、繰り出して、識別部によって識別及び計数をし、その後、その紙幣を再び、収納部に戻すことを行う。例えば特許文献１に開示されているように、収納部が先入れ後出しに構成されているときには、精査対象の収納部から繰り出した紙幣を、識別の前又は後に、別の収納部に一旦収納するようにしている。また、例えば特許文献２に開示されているように、収納部が先入れ先出しに構成されているときには、収納部と識別部との間を紙幣が循環するようになるため、精査処理を開始して収納部から最初に繰り出した紙幣の記番号を、目印として記憶しておく。こうすることによって、当該紙幣が再び収納部から繰り出されたときに収納部に収納されている全ての紙幣が繰り出されたことが判るため、精査処理を終了する。【０００８】
しかしながら、精査処理は、収納部に収納されている紙幣を全て繰り出して行わなければならないため、それに要する時間は長くなってしまう。特に収納部の収納容量が大きく、多数の紙幣が収納されているときや、精査対象の収納部の数が多いとき、及び、それが組み合わさったときには、精査処理に要する時間が大幅に長くなってしまう。一方で、精査処理の実行中は、入金処理や出金処理を実行することができないため、精査処理に要する時間が長くなればなるほど、当該入出金機を利用することができない状態が長く継続してしまう。【０００９】
ここに開示する技術は、かかる点に鑑みてなされたものであり、その目的とするところは、紙幣入出金機の精査処理に要する時間を短縮することにある。
【課題を解決するための手段】
【００１０】
ここに開示する装置は、紙幣を処理する紙幣処理装置である。この紙幣処理装置は、前記紙幣をテープと共にリールに巻き取って収納すると共に、収納している紙幣を繰り出すよう構成された巻き取り式の、第１の収納部と、前記紙幣の収納と繰出とが可能に構成された第２の収納部と、前記第１の収納部と第２の収納部との間で紙幣を搬送するように構成された搬送部と、前記搬送部によって搬送されている途中で前記紙幣の識別を行うよう構成された識別部と、前記第１の収納部の在高を確定するための精査処理を行うときには、前記第１の収納部から紙幣を繰り出して前記第２の収納部に収納し、その後、当該第２の収納部に収納した紙幣を繰り出して前記第１の収納部に収納し、それと共に、前記識別部によって紙幣の識別を行うよう構成された制御部と、を備える。【００１１】
前記制御部は、前記第１の収納部に紙幣を収納するときには、当該第１の収納部の在高情報に対応づけられた目印を設けながら、前記紙幣を収納し、前記制御部はまた、前記精査処理を行うときには、前記目印を基準にして前記第１の収納部が収納する紙幣の一部を繰り出して、前記識別部によって識別すると共に、この識別結果と、前記目印に対応づけられた在高情報とに基づいて前記第１の収納部の在高を確定する。【００１２】
この構成によると、第１の収納部は、紙幣をテープと共にリールに巻き取って収納する巻き取り式の収納部である。このため、この第１の収納部は、先入れ後出しに紙幣を収納する。第１の収納部はまた、当該第１の収納部の在高情報に対応づけられた目印を設けながら、紙幣を収納する。目印は、第１の収納部の在高情報に対応づけられているため、この目印に基づいて、第１の収納部の在高情報を取得することが可能である。ここで目印は、第１の収納部に収納する紙幣の枚数を基準にして、紙幣の一枚一枚について設けてもよいし、収納した紙幣の枚数が所定枚数となる毎に設けてもよい。また、第１の収納部に紙幣を収納する処理（例えば入金処理であり、こうした処理は取引と言い換えることが可能である）を基準にして、例えば１回の取引毎に、又は、二回以上の所定回数の取引毎に目印を設けてもよい。さらに、収納する紙幣の枚数と取引とを組み合わせて、収納した紙幣の枚数が所定枚数以上となる毎に、取引と取引の間に目印をもうけてもよい。【００１３】
この紙幣処理装置は、第１の収納部とは別に、第２の収納部を備えている。搬送部は、第１の収納部と第２の収納部との間で紙幣の搬送を行うことが可能である。尚、搬送部は、紙幣を往復搬送してもよいし、ループ状に循環搬送してもよい。【００１４】
この紙幣処理装置では、第１の収納部の在高を確定する精査処理を行うときには、目印を基準にして紙幣を第１の収納部から繰り出す。従って、第１の収納部に収納されている紙幣の全てを繰り出さないで、その一部の紙幣のみを繰り出す。目印を基準にして紙幣を第１の収納部から繰り出している一方で、目印は第１の収納部の在高情報と対応づけられているため、紙幣の繰り出し後の第１の収納部の在高情報は、その目印に基づいて取得することが可能である。【００１５】
一方、第１の収納部から繰り出した紙幣は、第２の収納部に一旦、収納し、その後、第２の収納部から、収納した紙幣を繰り出して、第１の収納部に、再び収納する。第１の収納部から第２の収納部に紙幣を搬送しているとき、又は、それとは逆に、第２の収納部から第１の収納部に紙幣を搬送しているときに、識別部によって識別をすることによって、繰り出した紙幣の識別結果（計数結果を含む）を取得することができる。そうして、第１の収納部に紙幣を再び収納した後の、第１の収納部の在高は、識別結果と、目印に対応づけられた在高情報とに基づいて、確定することが可能になる。【００１６】
このように、巻き取り式の第１の収納部を用いた紙幣の収納形態を工夫することによって、その第１の収納部に収納されている紙幣を全て繰り出さなくても、当該第１の収納部に対する精査処理を行うことが可能であるから、精査処理に要する時間が短縮される。【００１７】
前記第１の収納部は、前記紙幣を所定間隔を隔てながらリールに巻き取って収納し、前記目印は、前記第１の収納部に紙幣を収納する取引と取引との間に設けられかつ、前記所定間隔よりも広い間隔の区切りである、としてもよい。【００１８】
取引と取引との間に設けた区切り、言い換えると紙幣と紙幣との間に設けた区切りは、紙幣の通過を検知する検知センサの信号に基づいて検出することが可能である。つまり、第１の収納部から紙幣を繰り出している最中に、通常の紙幣間隔よりも広い間隔が検知センサの信号によって検知されたときに、そこが区切りであると検出することが可能である。【００１９】
そうして、精査処理においては、第１の収納部から繰り出しを開始して、任意の区切りまでの紙幣を繰り出せばよい。例えば繰り出しを開始して最初の区切りまで紙幣を繰り出すようにしてもよい。このように区切りまで紙幣を繰り出すことによって、当該区切りと第１の収納部の在高情報とが対応づけられているため、前述した通り、その在高情報と、繰り出した紙幣の識別結果とに基づいて、第１の収納部の在高を確定することができる。【００２０】
前記紙幣処理装置は、前記第１の収納部に収納する紙幣に設けられた固有のコードを読み取る読取部をさらに備え、前記目印は前記第１の収納部に収納される紙幣の前記コードである、としてもよい。ここで、紙幣の固有のコードは、紙幣に設けられかつ、当該紙幣を特定するための番号、符号、記号及び、それらに準じるものを含み、特定の形態に限定されるものではない。例えば数字及び文字の羅列であってもよいし、いわゆるバーコードや二次元コードのようなものであってもよい。コードの具体例の一つとして、紙幣の通し番号である記番号を挙げることができる。また、コードを読み取る読取部は、コードの形態に応じて、光学的、電気的、又は磁気的に紙幣に設けられたコードを読み取ればよい。例えば紙幣に印刷された記番号は、光学的に読み取ることが可能である。また、識別部が読取部の機能を含むことによって、識別部と読取部とを一体化してもよい。【００２１】
また、第１の収納部の在高情報とコードとの対応づけは、紙幣の一枚一枚について行ってもよいし、所定枚数毎に行ってもよい。また、取引毎に、例えば一取引の最後に収納する紙幣について第１の収納部の在高情報とコードとの対応づけを行ってもよいし、複数回の取引毎に、第１の収納部の在高情報とコードとの対応づけを行ってもよい。さらに、紙幣の枚数と取引とを組み合わせてもよい。【００２２】
この構成では、精査処理においては、第１の収納部から繰り出した紙幣のコードを読み取り、そのコードと在高情報とが対応づけられているかを判断する。コードと在高情報とが対応づけられているときには、当該紙幣の繰り出し後の第１の収納部の在高情報を取得することが可能であるため、第１の収納部からの紙幣の繰り出しを停止する。一方、コードと在高情報とが対応づけられていないときには、繰り出した紙幣によって第１の収納部の在高情報を取得することができるまで、紙幣の繰り出しを継続すればよい。この構成でも、第１の収納部に収納されている紙幣の一部を繰り出すことによって精査処理を行うことが可能であるから、精査処理に要する時間が短縮される。【００２３】
前記目印は、前記第１の収納部の前記テープの長さ方向の位置によって特定される、前記テープ上での位置である、としてもよい。【００２４】
巻き取り式の収納部においては、各紙幣はテープと共にリールに巻き取られるため、収納部に収納されている各紙幣と、テープの長さ方向の位置とが１対１に対応づけられる。そのため、テープの長さ方向の位置情報を、収納部の在高情報と対応づけられた目印として利用可能である。尚、テープの長さ方向の位置情報は、テープの繰り出し及び巻き戻しの状態を検知するエンコーダの出力によって取得することが可能である。位置情報（目印）は、紙幣の一枚一枚について設けてもよいし、所定枚数毎に設けてもよい。また、取引を基準にして目印を設けてもよい。さらに、紙幣の枚数と取引とを組み合わせてもよい。【００２５】
前記の構成では、精査処理においては、テープ上の位置情報を基準にして、第１の収納部から紙幣の一部を繰り出す。繰り出し後の第１の収納部の在高情報は、テープ上の位置情報から取得することができるため、前記と同様に、識別結果と在高情報とに基づいて第１の収納部に対する精査処理を行うことができる。従って、精査処理に要する時間が短縮される。
【発明の効果】
【００２６】
以上説明したように、前記の紙幣処理装置は、精査処理に要する時間を短縮することができる。
【図面の簡単な説明】
【００２７】
【図１】紙幣入出金機の外観を示す斜視図である。
【図２】紙幣入出金機の内部構造を示す図である。
【図３】紙幣入出金機の動作制御に係る構成を示すブロック図である。
【図４】入金処理時における紙幣の搬送経路を示す図である。
【図５】一時保留部を利用する場合の、入金処理時における紙幣の搬送経路を示す図である。
【図６】出金処理時における紙幣の搬送経路を示す図である。
【図７】収納部への紙幣の収納状態の一例と、その収納状態を利用した一部精査処理を説明する図である。
【図８】紙幣の記番号管理を利用した一部精査処理を説明する図である。
【図９】テープの番地を利用した一部精査処理を説明する図である。
【図１０】紙幣入出金機の出金処理に係るフローチャートである。
【図１１】計数処理時における紙幣の搬送経路を示す図である。
【発明を実施するための形態】
【００２８】
以下、紙幣入出金機の実施形態を図面に基づいて説明する。尚、以下の好ましい実施形態の説明は例示である。図１は、紙幣入出金機（以下、単に入出金機という）１の外観を示している。この入出金機１は、例えば銀行のテラーカウンターに設置されかつ、この入出金機１を挟んだ左右二人のテラーによって共用で使用される。このため、この入出金機１は、基本的には左右対称に構成されている。
【００２９】
この入出金機１は、詳しくは後述するが、投入口２１１に投入された紙幣を収納部３に収納する入金処理、及び、収納部３に収納している紙幣を出金口２３１に払い出す出金処理を少なくとも実行する。この入出金機１は、いわゆる循環式の入出金機であり、出金処理時に払い出す紙幣には、入金処理時に収納部３に収納した紙幣が含まれる。
【００３０】
入出金機１は、図１及び２に示すように、上側の処理部１１と、下側の金庫部１３とに大別される。処理部１１を構成する筐体１１１内には、投入口２１１を有する入金部２１と、出金口２３１を有する出金部２３と、紙幣の識別を行う識別部２５と、入金部２１、出金部２３及び識別部２５を相互に連結するループ搬送路４１１を含む処理部側搬送部４１と、が配設されている。一方、金庫部１３を構成する筐体１３１内には、複数の（図例では８個の）巻き取り方式の収納モジュール３１を含んで構成された収納部３と、処理部側搬送部４１のループ搬送路４１１と各収納モジュール３１とを互いに接続する搬送路４３１を含む金庫部側搬送部４３と、が配設されている。ここで、金庫部１３を構成する筐体１３１は、処理部１１を構成する筐体１１１とは異なり、その内部に格納している収納部３等を、所定以上のセキュリティレベルで防護するように構成された防護筐体１３１である。
【００３１】
入金部２１の投入口２１１は、前述したように、例えば入金処理の際に入金する紙幣を投入するための口である。投入口２１１は、処理部側筐体１１１の上面において上向きに開口していて、複数枚の紙幣を一度に受け入れ可能に構成されている。入金部２１はまた、投入口２１１に投入された複数枚の紙幣を、一枚ずつ、ループ搬送路４１１に繰り出す繰り出し機構を備えている。
【００３２】
出金部２３の出金口２３１は、前述したように、例えば出金処理の際に紙幣を払い出すための口である。出金口２３１は、投入口２１１よりも装置手前側（図２の紙面右側）の、処理部側筐体１１１における上面から前面にかけての位置でかつ、斜め上方に向かって開口している。この出金口２３１も、投入口２１１と同様に、複数枚の紙幣を一度に保持可能に構成されている。
【００３３】
識別部２５は、ループ搬送路４１１上に配設されて、そのループ搬送路４１１に沿って搬送される紙幣の一枚一枚について、その真偽、金種及び正損を識別するように構成されている。
【００３４】
処理部側搬送部４１は、処理部側筐体１１１内においてエンドレスに設けられたループ搬送路４１１を備えている。紙幣は、このループ搬送路４１１に沿って図２における時計回り方向及び反時計回り方向に搬送される。このループ搬送路４１１は、図２に例示するように、多数のローラ、複数のベルト及び複数のガイドの組み合わせによって構成されている。ループ搬送路４１１は、その搬送路に沿って、紙幣と紙幣との間に所定間隔を隔てた状態で、紙幣を一枚ずつ短手搬送する。
【００３５】
ループ搬送路４１１と投入口２１１との間は、投入路４１３によって互いに接続されており、投入口２１１に投入された紙幣は、この投入路４１３を通ってループ搬送路４１１まで搬送される。
【００３６】
ループ搬送路４１１にはまた、払出路４１５が、紙幣の搬送方向を切り替える分岐機構４１７を介して接続されている。払出路４１５の先端は、出金口２３１に接続されている。分岐機構４１７は、ループ搬送路４１１を時計回り方向及び反時計回り方向に搬送されている紙幣を、そのままループ搬送路４１１上で搬送させるか、払出路４１５に引き込むかを切り替えるように動作する。この構成によって、ループ搬送路４１１上を時計回り方向又は反時計回りに搬送されている紙幣は、分岐機構４１７の動作制御によって選択的に、払出路４１５を通って出金口２３１に搬送される。
【００３７】
ループ搬送路４１１上にはまた、第１−第３の分岐機構４１９，４１１１，４１１３が設けられている。第１−第３の分岐機構４１９−４１１３はそれぞれ、互いに異なる３方向に延びる搬送路の集合位置において、所定方向から搬送されてくる紙幣を、それとは別の２方向それぞれに選択的に搬送させるように動作する。分岐機構の具体的な構成は、国際公開第２００９／０３４７５８号に例示されている。
【００３８】
より具体的に、第１の分岐機構４１９は、ループ搬送路４１１と金庫部側搬送部４３の搬送路４３１との接続位置に設けられている。第１の分岐機構４１９は、ループ搬送路４１１上を時計回り方向又は反時計回りに搬送されている紙幣を、選択的に、金庫部側搬送部４３の搬送路４３１に送って、収納部３に収納させるか、又は、収納部３から繰り出されかつ、金庫部側搬送部４３の搬送路４３１に沿って搬送されてきた紙幣を、ループ搬送路４１１上で時計回り方向に搬送させるか、若しくは、反時計回り方向に搬送させるかの切り替えを行う。
【００３９】
また、第２の分岐機構４１１１は、ループ搬送路４１１と接続路４１１５との接続位置に設けられている。接続路４１１５は、詳しくは後述するが、図２においては仮想的に示す一時保留部５１と、ループ搬送路４１１とを互いに連結する。第２の分岐機構４１１１は、ループ搬送路４１１上を時計回り方向又は反時計回りに搬送されている紙幣を、接続路４１１５に送って一時保留部５１に収納させるか、又は、一時保留部５１から繰り出した紙幣を、ループ搬送路４１１上で時計回り方向に搬送させるか、若しくは、反時計回り方向に搬送させるかの切り替えを行う。
【００４０】
さらに、第３の分岐機構４１１３は、ループ搬送路４１１とカセット接続路４１１７との接続位置に設けられている。カセット接続路４１１７は、詳しくは後述するが、図２において仮想的に示す回収カセット５３と、ループ搬送路４１１とを互いに連結する。第３の分岐機構４１１３は、ループ搬送路４１１上を時計回り方向又は反時計回りに搬送されている紙幣を、選択的にカセット接続路４１１７に送り、それを回収カセット５３に収納するように動作する。
【００４１】
収納部３は、前述したように、図例では第１−第８の巻き取り方式（言い換えると、テープ式）の収納モジュール３１−１−３１−８を含んで構成されている。ここで、以下の説明において、各々の収納モジュールを総称する場合には、符号「３１」を付し、第１、第２、第３…の、各々の収納モジュールを区別する場合には、符号「３１−１、３１−２、３１−３…」を付す。尚、収納モジュール３１の数は特に限定されず、１個以上で、適宜の数を設定すればよい。８個の収納モジュール３１は、この例では、装置の奥行き方向（図２の紙面左右方向）に４個並んで１列を構成すると共に、その列が上下方向に２列を構成するように積み重ねられている。
【００４２】
この巻き取り方式の収納モジュール３１は、特開２０００−１２３２１９号公報に例示されるように、概略矩形箱状の筐体内に、紙幣をガイドする一枚のテープ、ガイド部材、及び、紙幣と共にテープを巻き取るリールを備えて構成されるか、又は、本件出願人が先に出願したＰＣＴ／ＪＰ２００９／０６６７２９に例示されるように、筐体内に、紙幣を挟む２枚のテープ、及び、紙幣を挟み込んだ２枚のテープを巻き取るリールを備えて構成される。いずれの構成においても、巻き取り方式の収納モジュール３１は、紙幣を一枚ずつ巻き取って収納すると共に、その収納した順番とは逆順で、紙幣を一枚ずつ繰り出す、いわゆる先入れ後出しとなるように紙幣を収納する。各収納モジュール３１は、この例では図２に示すように、それぞれテープが巻き付けられたテープリール３１３を２つ備え、テープリール３１３から引き出された２枚のテープによって紙幣を挟むように構成されており、紙幣は、互いに所定間隔を隔てながらリール３１１に巻き取られる。各収納モジュール３１にはまた、筐体の内外を連通するように形成された出入口の近傍に、紙幣の通過を検知する検知センサが設けられている。
【００４３】
金庫部側搬送部４３の搬送路４３１は、処理部側搬送部４１のループ搬送路４１１と同様に、ローラ、ベルト及びガイドの組み合わせによって構成されており、この搬送路４３１もまた、紙幣を一枚ずつ短手搬送する。搬送路４３１は、ループ搬送路４１１上の第１の分岐機構４１９から、鉛直下向きに延びると共に、その下端部において、奥行き方向の手前側（図２の紙面右側）及び奥側（図２の紙面左側）のそれぞれに分岐している。装置１の奥側に向かって延びる分岐路は、上下に積み重ねられた２列の収納モジュール３１の間に配設されている。各収納モジュール３１は、この分岐路上に設けられた振分機構４３３−１−４３３−８を介して分岐路に接続されている。各振分機構４３３−１−４３３−８は、後述する制御部５１３によって駆動制御され、そのことにより、紙幣が、識別部２５によって識別された金種及び／又は正損等に応じて複数の収納モジュール３１に振り分けられて収納されることになる。
【００４４】
この入出金機１では、紙幣を一時的に保留する一時保留部５１、及び、金庫部１３の防護筐体１３１内に着脱可能に取り付けられる回収カセット５３が、オプションで装着されるように構成されている。
【００４５】
一時保留部５１は、図２に一点鎖線で示すように、処理部側筐体１１１内における、奥行き方向の手前側に設けられた空きスペース内に装着される。一時保留部５１は、前述したように、接続路４１１５を介して、第２の分岐機構４１１１に接続される。一時保留部５１は、この例では、前述した収納モジュール３１と同様に、２枚のテープを利用した巻き取り方式であり、紙幣の順番を入れ替えることなく、先入れ後出しとなるように紙幣を収納する。
【００４６】
回収カセット５３は、図２に一点鎖線で示すように、防護筐体１３１内における、奥行き方向の手前側に設けられた空きスペース内に、着脱可能に装着される。回収カセット５３は、前述したように、カセット接続路４１１７を介して、ループ搬送路４１１上の第３の分岐機構４１１３に接続されている。回収カセット５３は、巻き取り式の収納モジュール３１や一時保留部５１とは異なり、その内部に昇降する集積台を備えかつ、この集積台上に紙幣を重ねて収納するように構成されている。これにより、回収カセット５３に収納された紙幣は、そこから繰り出すことはできない。回収カセット５３には、例えば入金処理時に投入口２１１に投入された紙幣の内、収納部３に収納しきれなかったオーバーフロー紙幣が収納される。また、出金処理時等に識別不可であったリジェクト紙幣が、この回収カセット５３に収納される場合がある。従って、回収カセット５３が未装着のときには、オーバーフロー紙幣やリジェクト紙幣は、出金口２３１に払い出される。
【００４７】
尚、図示は省略するが、防護筐体１３１内の空きスペースには、回収カセット５３が配設される代わりに、巻き取り式の収納モジュール３１が、さらに追加して装着される場合がある。追加の収納モジュール３１は、例えば２個のモジュールが上下に積み重ねられて配設される場合があり、これら２個の収納モジュール３１はそれぞれ、搬送路４３１の下端から奥行き方向の手前側に延びる分岐路に対し、前述した振分機構を介して接続される。
【００４８】
図３は、入出金機１の動作制御に係る構成を示している。入出金機１は、例えば周知のマイクロコンピュータをベースとした制御部５１３を備えている。制御部５１３には、前述した入金部２１、出金部２３、第１−第ｎの収納モジュール３１を含む収納部３、処理部側搬送部４１、及び金庫部側搬送部４３が、信号の送受信可能に接続されている。これらの各部２１，２３，３，４１，４３は、図示は省略するが、例えば搬送路を搬送されている紙幣を検知するといった機能を有する各種のセンサを含んでおり、各種センサの検知信号は制御部５１３に入力される。制御部５１３は、入力された検知信号等に基づいて制御信号を出力し、各部２１，２３，３，４１，４３は、その制御信号に従って動作をする。
【００４９】
制御部５１３にはまた、識別部２５が接続されており、識別部２５は、識別結果を制御部５１３に提供する。さらに、図１等では図示を省略するが、テラー等の、この入出金機１を操作するオペレータに対するヒューマンインターフェース部分としての操作部５５、入出金機１が、例えばＬＡＮやシリアルバスを通じて、図示を省略する上位端末及びその他の機器との間で信号の送受信を行うための通信部５７、及び、各種の情報を記憶するための、例えばハードディスクドライブやフラッシュメモリ等の汎用のストレージデバイスにより構成される記憶部５９がそれぞれ、入出金機１に接続されている。
【００５０】
記憶部５９は、入出金機１が収納している紙幣の金種別枚数又は金額である在高を少なくとも記憶する。また、記憶部５９は、収納モジュール３１毎の在高も記憶する。
【００５１】
前述したように、オプション機器である一時保留部５１や回収カセット５３が、この入出金機１に装着されるときには、それらの機器５１，５３もまた、制御部５１３に接続されることにより、制御部５１３が出力する制御信号に従って動作をする。また、入出金機１には、各種の情報を表示するための、例えばフラットパネルディスプレイからなる表示部５１１がオプション機器として装着可能に構成されており、この表示部５１１もまた、制御部５１３に接続される。
【００５２】
制御部５１３は、通信部５７を通じて受けた上位端末からの指令、及び／又は、操作部５５を通じて受けた各種の指令に応じて、各部２１，２３，２５，３，４１，４３，５１，５３，５５，５７，５９，５１１の動作を制御する。このことにより、入出金機１は、以下に説明する入金処理及び出金処理を含む、各種処理を行う。入出金機１において実行した各種の処理の履歴は、記憶部５９にログとして記憶される。
【００５３】
（入金処理）
入金処理は、入出金機１に紙幣を入金（収納）する処理であり、投入口２１１に投入された紙幣は、識別部２５による識別結果と、予め設定された収納割当とに従って、いずれかの収納モジュール３１に収納される。より詳細に、入出金機１は、入金処理の際には、次のように動作する。すなわち、入金する紙幣を投入口２１１に投入した状態で、例えば上位端末及び／又は操作部５５の操作によって入金処理の開始コマンドを、入出金機１に入力する。図４に矢印で示すように、入金部２１の繰り出し機構は、投入口２１１の紙幣を一枚ずつ繰り出し、処理部側搬送部４１は、各紙幣を識別部２５に搬送する。識別部２５は、その紙幣の識別を行うと共に、計数を行う。処理部側搬送部４１はまた、識別部２５によって正常に識別された紙幣（この紙幣を、リジェクト紙幣の対の名称として正常紙幣と呼ぶ）を、図４に実線の矢印で示すように、ループ搬送路４１１から、第１の分岐機構４１９を通って金庫部側搬送部４３の搬送路４３１へと搬送する。金庫部側搬送部４３は、識別部２５による識別結果、及び、予め設定された収納割当に従って、各紙幣を所定の収納モジュール３１に収納する。すなわち、各紙幣は、金種別や正損別に応じて、いずれかの収納モジュール３１に収納される。
【００５４】
一方、処理部側搬送部４１は、識別部２５において真偽の識別ができない紙幣等、入出金機１がそのまま受け入れることができないリジェクト紙幣を、図４に一点鎖線の矢印で示すように、ループ搬送路４１１から分岐機構４１７を通って払出路４１５へと搬送する。そうして、リジェクト紙幣は、出金口２３１に払い出される。尚、入金処理時に発生したリジェクト紙幣は、投入口２１１に再度投入され、識別部２５による識別が、もう一度行われることになる。
【００５５】
また、入金処理時に、収納モジュール３１が満杯になることに起因して収納できなくなった紙幣（つまり、オーバーフロー紙幣）も、出金口２３１に払い出される。尚、図示は省略するが、入出金機１に回収カセット５３が装着されているときには、オーバーフロー紙幣は、回収カセット５３に収納される。
【００５６】
入金処理の終了後には、記憶部５９に記憶している在高を更新する。
【００５７】
（一時保留部がある場合の入金処理の例）
図４は、入出金機１に一時保留部５１が装着されていない場合の入金処理の動作例を示している。これに対し、図５は、一時保留部５１が入出金機１に装着されている場合の入金処理の動作例を示している。この動作例においても、入金部２１の繰り出し機構は、図４と同様に、投入口２１１に投入された紙幣を一枚ずつ繰り出し、処理部側搬送部４１は、各紙幣を識別部２５に搬送する。処理部側搬送部４１は、識別部２５によって正常に識別された正常紙幣を、図５に実線の矢印で示すように、ループ搬送路４１１から、第２の分岐機構４１１１を通って一時保留部５１に搬送し、そこに収納する。尚、リジェクト紙幣は、出金口２３１に払い出される。
【００５８】
そうして、投入口２１１に投入された紙幣が全て繰り出されることによって、入金される紙幣の計数が全て完了したときには、上位端末、及び／又は、オプションの表示部５１１に計数結果が表示される。オペレータは、その計数結果を確認した上で、上位端末及び／又は操作部５５において所定の収納操作を行う。このことによって、図５に破線の矢印で示すように、一時保留部５１は、そこに収納している紙幣を一枚ずつ繰り出し、処理部側搬送部４１は、各紙幣を、ループ搬送路４１１から第１の分岐機構４１９を通って、金庫部側の搬送路４３１へと搬送する。そうして、金庫部側搬送部４３は、識別部２５による識別結果、及び、予め設定された収納割当に従って、各紙幣を、金種別や正損別に応じて収納モジュール３１に収納する。尚、オペレータが、収納操作ではなく、所定のキャンセル操作を行ったときには、一時保留部５１に収納されている紙幣は、出金口２３１に払い出される。
【００５９】
（出金処理）
出金処理は、入出金機１に収納されている紙幣を払い出す処理である。具体的には、上位端末及び／又は操作部５５において、少なくとも金種と枚数とを指定する所定の出金操作を行うことによって、出金処理は開始する。収納部３は、図６に実線の矢印で示すように、指定された金種の紙幣を、それが収納されている収納モジュール３１から、指定された枚数だけ繰り出す。金庫部側搬送部４３は、繰り出された紙幣を、搬送路４３１を介して、処理部側搬送部４１のループ搬送路４１１へと搬送する。処理部側搬送部４１は、各紙幣を識別部２５に搬送し、識別部２５が識別を行った後に、ループ搬送路４１１から分岐機構４１７を通って払出路４１５へと搬送する。そうして、出金口２３１に各紙幣が払い出される。出金処理の終了後には、記憶部５９に記憶している在高を更新する。
【００６０】
出金される紙幣の枚数が出金口２３１の容量よりも多いときには、出金する紙幣を、複数回に分けて払い出す分割出金処理を行う。すなわち、分割出金処理では、出金口２３１の容量以下の枚数の紙幣を出金口２３１に払い出した時点で処理が中断し、出金口２３１から紙幣が取り除かれた後、出金処理が再開する。こうした処理の中断と再開とが、出金される紙幣の枚数に応じて繰り返される。
【００６１】
ここで、図６に示すように、一時保留部５１や回収カセット５３が装着されていない入出金機１においては、出金処理時に、識別部２５による識別が不可であったリジェクト紙幣が発生したときに、そのリジェクト紙幣は、正常紙幣と共に、出金口２３１に払い出すことになる。このように出金処理時にリジェクト紙幣が発生したときには、入出金機１及び／又は表示部５１１に、その旨（エラーメッセージ）が表示され、それによって、オペレータは、出金口２３１に払い出された紙幣に、リジェクト紙幣が含まれていることを認識することができる。
【００６２】
（精査処理）
前述した入金処理時に、識別部２５において識別及び計数をした後、各収納モジュール３１に紙幣を収納するまでの搬送中に、搬送異常が発生する場合がある。搬送異常としては、搬送路４１１，４３１に沿って紙幣を搬送している際に紙幣が斜めに搬送される場合（斜行）、複数の紙幣が所定の間隔を隔てないで搬送される場合（連鎖）、及び、複数の紙幣が重なって搬送される場合（重送）を例示することができる。こうした搬送異常は、例えば識別部２５の識別結果と各収納モジュール３１に取り付けられた紙幣の検知センサの検知結果とを照合することによって検出することが可能である。
【００６３】
入金処理時に、前述した連鎖や重送が発生したときには、搬送されている紙幣の順番がずれてしまって、紙幣が所望の収納モジュール３１に収納されなくなってしまう場合がある。その場合は、各収納モジュール３１に収納されている紙幣の金種や枚数が不確定になってしまう。そのため、入金処理時に搬送異常が発生したときには、各収納モジュール３１に収納されている紙幣の金種と枚数とを確定させる処理が必要になる。この処理は、精査処理と呼ばれ、精査処理は、具体的には、第１の収納部である各収納モジュール３１に収納されている紙幣を全て、一旦、繰り出して、識別部２５によって識別及び計数をし、その後、その紙幣を再び、収納モジュール３１に戻すことを行う。尚、収納モジュール３１から繰り出した紙幣は、識別の前又は後に、第２の収納部である収納モジュール３１に、一旦、収納される。一時保留部５１を備えた入出金機１では、第２の収納部として、一時保留部５１を用いるのがよい。
【００６４】
ここで、入金処理時に搬送異常が発生したことは、前述したように、識別部２５の識別結果と各収納モジュール３１の検知センサの検知結果との照合によって検出することになるため、その検出タイミングは、全ての紙幣が収納モジュール３１に収納された後になる。また、精査処理は、入金処理の際に、紙幣が一枚でも収納された収納モジュール３１の全てに対して行う必要があると共に、該当する収納モジュール３１に収納されている紙幣を全て繰り出さなければならない。そのため、精査処理に要する時間は長くなりやすい。また、収納モジュール３１に収納されている紙幣の枚数が多いほど、精査に要する時間も長くなる。
【００６５】
また、前述した出金処理時に、連鎖や重送といった搬送異常やリジェクト紙幣が生じたときにも、収納モジュール３１から繰り出した紙幣の枚数が不確定になるため、その出金処理後の収納モジュール３１の在高（つまり、収納モジュール３１の収納枚数）が未確定になる。そのため、紙幣を一枚でも繰り出した収納モジュール３１の全てに対して、精査処理を行うことによって、各収納モジュール３１の在高を確定させる必要がある。
【００６６】
しかしながら、入金処理後及び出金処理後の如何にかかわらず、精査処理の最中は入出金機１を使用することができないため、窓口業務に遅れが生じてしまうという不都合がある。
【００６７】
そこで、この入出金機１では、精査処理に要する時間を短縮させるために、各収納モジュール３１への紙幣の収納を工夫している。この工夫によって、精査処理時に収納モジュール３１に収納されている紙幣の全てを繰り出すのではなく、少なくとも一部の紙幣を繰り出すことだけで、収納モジュール３１についての精査処理が可能になり、精査処理に要する時間が短くなる。尚、以下において、収納モジュール３１に収納されている一部の紙幣のみを繰り出して行う精査処理を、一部精査処理と呼ぶ場合がある。
【００６８】
（収納モジュールへの紙幣の収納例）
図７は、収納モジュール３１への紙幣の収納形態の一例を示している。同図における紙面左右方向の中央には、巻き取り式の収納モジュール３１のリール３１１に巻き取られた紙幣の状態を、平面に展開して示している。図７の紙面上側は、リール３１１の径方向内方側に相当し、紙面下側は、リール３１１の径方向内方側に相当する。従って、図７の紙面上側の紙幣は、収納モジュール３１に先に収納された紙幣であり、紙面下側の紙幣は、収納モジュール３１に後から収納された紙幣であり、収納モジュール３１から紙幣を繰り出すときには、紙面下側の紙幣から順に、繰り出されることになる。
【００６９】
前述したように、入金処理時には、紙幣は、互いに所定間隔ｄを隔てながらリール３１１に巻き取られる。そして、図７に示す収納例では、入金処理毎（言い換えると、１取引毎に）、所定間隔ｄよりも広い区切りを設ける。
【００７０】
また、記憶部５９には、図６の左図に例示するように、収納モジュール３１毎に、通し番号と、金種と、ブロック番号とを互いに紐付けした収納情報を記憶しておく。通し番号は、当該収納モジュール３１に収納されている紙幣についての通し番号であり、この通し番号によって、当該収納モジュール３１に収納されている紙幣の枚数を特定することが可能である。また、ここでいう「ブロック番号」は、収納モジュール３１内での、区切りと区切りとの間の紙幣のまとまりを意味し、これは「取引番号」と置き換えることが可能である。従って、通し番号とブロック番号とを紐づけすることによって、通し番号、言い換えると収納モジュール３１の在高情報と、ブロック番号、言い換えると区切りとが対応づけられることになる。図例では、一点鎖線の矢印で示すように、リール３１１に巻き取られた紙幣と収納情報とが対応づけられているとする。記憶部５９に記憶されている、この収納情報は、入金処理を行う毎に更新される。
【００７１】
このような状態で、入金処理時に搬送異常が発生した場合を考える。この搬送異常が発生した入金処理を、ここでは、図６に示すように「取引３」とする。また、この例では、取引３よりも以前に行われた入金処理として「取引１」及び「取引２」があり、これら取引１及び取引２では、搬送異常が発生せず、取引１の完了時点、及び、取引２の完了時点の収納モジュール３１の在高は、記憶部５９に記憶されている収納情報によって確定しているとする。
【００７２】
取引３の最中に搬送異常が発生したため、その取引３の終了後には、該当する収納モジュール３１に対する精査処理が必要になる。このときに収納モジュール３１から繰り出す紙幣は、リール３１１に巻き取られた紙幣の内の、最初の区切りまでの紙幣とする。つまり、取引３において収納モジュール３１に収納した紙幣のみを、収納モジュール３１から繰り出して精査処理を実行する。少なくとも取引２の完了時点の収納モジュール３１の在高は確定していることから、取引２までの在高情報と今回の精査結果とに基づいて、当該収納モジュール３１の在高を確定させることが可能である。このように、紙幣の収納に際し、収納モジュール３１の在高情報に対応づけられた目印（つまり、この例では区切りに相当する。）を設けることによって、収納モジュール３１に収納されている紙幣を全て繰り出さなくても、一部の紙幣のみを繰り出すことによって精査処理を行うことが可能になる。これは、精査処理に要する時間を短縮する。ここで、紙幣の繰り出しは、前述の通り、取引３だけに限定すればよいが、例えば搬送異常が発生した入金処理（この例では、取引３）と、その一つ前の入金処理（この例では、取引２）とを含めるようにしてもよい。尚、紙幣の繰り出しは任意に設定することが可能である。
【００７３】
ここで、区切りの検知は、例えば図７の右図に示すように、収納モジュール３１の出入口近傍に配置された検知センサの信号に基づいて検知すればよい。つまり、紙幣を繰り出している最中に、紙幣同士の通常の間隔ｄよりも広い間隔を検出したときには、区切りに到達したと検知することが可能であり、そのタイミングで、収納モジュール３１からの紙幣の繰り出しを停止すればよい。尚、区切りの間隔は、搬送中の紙幣の詰まりを検出するためのジャムタイマの計時時間Ｔ１に相当する間隔よりも短く設定することが望ましい。こうすることによって、紙幣の詰まりの誤検出が回避される。
【００７４】
一方、出金処理時に精査処理が必要な状況になったときには、その精査処理時には、収納モジュール３１から、紙幣を任意の区切りまで繰り出せばよい。例えば最初の区切りまで紙幣を繰り出すことにすれば、繰り出し枚数を最も少なくすることができ、精査処理の時間の短縮に有利になる。そうして、前述した入金処理後の精査処理と同様に、出金処理後においても、一部精査処理が可能になる。
【００７５】
ここで、取引毎に区切りを設けていたのでは、区切りの数が多くなりすぎて、収納モジュール３１の収納容量が少なくなる可能性がある。そこで、取引と取引との間に区切りを設ける代わりに、収納モジュール３１に収納した枚数が所定の枚数を超える毎に、区切りを設けるようにしてもよい。こうすることで、取引毎に区切りを設ける場合と比較して区切りの数が減るため、区切りが多くなることに起因して収納モジュール３１の収納容量が少なくなることが回避される。一方で、前述の通り、精査処理の際に、収納モジュール３１に収納されている紙幣の全てを繰り出す必要がないため、精査処理に要する時間が短縮する。このことは特に、収納容量の確保と精査時間の短縮とを、バランスよく両立させる上で有利である。
【００７６】
一部精査処理は、収納モジュール３１内に、その在高情報と関連づけた目印を設けていることによって可能になるから、前述した、紙幣同士の区切り以外の目印を利用することも可能である。以下、区切り以外の目印の例として、紙幣の記番号を利用する例と、収納モジュール３１において紙幣を巻き取るためのテープの位置（テープの番地）を利用する例とについて説明する。すなわち、一部精査処理の目印としては、紙幣同士の区切りやテープの位置等、形態や物理量といった物理的な目印や、記番号等、データとして記憶される論理的な目印を用いることができる。これらの目印は、それぞれ単独で用いてもよいが、複数の目印を同時に用いることによって、目印の信頼性を高めることができる。
【００７７】
（記番号を利用した紙幣の収納例）
図８は、記番号を利用する例における収納モジュール３１への紙幣の収納形態の一例を示している。この例では、紙幣同士の区切りは不要であるため、同図に示すように、紙幣は、所定間隔ｄを隔ててリール３１１に巻き取られている。
【００７８】
記番号を利用する場合は、収納モジュール３１に紙幣を収納する際に、紙幣の記番号を読み取り、それを記憶しておく必要がある。記番号の読み取りは、例えば識別部２５が行うようにしてもよい。その場合、識別部２５は、紙幣の真偽、金種及び正損の識別の他に、紙幣に印字されている記番号を光学的に読み取る機能を有するように構成すればよい。尚、記番号の読み取りは識別部２５ではなく、識別部２５とは別の読取部を、例えばループ搬送路４１１上に配置してもよい。そうして読み取った記番号の情報は、図８の左図に例示するように、収納モジュール３１毎に、通し番号と金種とに紐付けした収納情報として、記憶部５９に記憶しておく。こうして、在高情報（つまり、通し番号）と目印（つまり、記番号）とが対応づけられる。図例では、一点鎖線の矢印で示すように、リール３１１に巻き取られた紙幣と、収納情報とが対応づけられているとする。記憶部５９に記憶されている収納情報が入金処理を行う毎に更新される点は、前記と同様である。
【００７９】
この構成では、例えば入金処理時に搬送異常が発生することによって、精査処理が必要な状況になれば、［当該入金処理において収納モジュール３１に収納した枚数の紙幣］＋［少なくとも一枚の紙幣］を収納モジュール３１から繰り出す。そうして、繰り出した紙幣の識別及び計数を行うと共に、少なくとも最後に繰り出した紙幣については、その記番号を読み取る。読み取った記番号は、記憶部５９に記憶している収納情報の記番号と照合する。読み取った記番号が収納情報に含まれているときには、その紙幣よりも前に収納している紙幣の金種及び枚数は、記憶部５９に記憶されている収納情報によって確定している。そこで、収納モジュール３１からの紙幣の繰り出しを終了して、精査処理を終了する。読み取った記番号が収納情報に含まれていないときには、収納情報に含まれている記番号の紙幣が繰り出されるまで、収納モジュール３１からの紙幣の繰り出しを継続する。
【００８０】
一方、出金処理時に精査処理が必要な状況になったときには、その精査処理時には、収納情報に含まれている記番号の紙幣が繰り出されるまで、収納モジュール３１から紙幣を繰り出す。
【００８１】
この例では、紙幣の記番号を目印として利用し、収納モジュール３１に収納されている紙幣の少なくとも一部を繰り出すことだけで精査処理を可能にしているため、前述した区切りを利用する例と同様に、精査処理に要する時間を短縮することが可能である。また、この例では、リール３１１に巻き取る紙幣と紙幣との間に、相対的に広い間隔の区切りを設けないため、収納モジュール３１の収納容量が減らないという利点がある。
【００８２】
尚、紙幣の記番号の読み取り及び記憶を、全ての紙幣について行うのではなく、例えば所定枚数毎に記番号の読み取り及び記憶を行ってもよいし、各取引における最後の紙幣について、記番号の読み取り及び記憶を行ってもよい。また、それらを組み合わせてもよい。これらは、記憶部５９の記憶容量の節約に有利である。尚、記番号の照合に際して、記番号の全ての一致を条件としてもよいし、少なくとも一部の一致を条件としてもよい。これは精査処理に要する時間の短縮に有利になる。また、少なくとも一部の一致が、複数枚の紙幣について成立することを条件としてもよい。
【００８３】
（テープの番地を利用した紙幣の収納例）
図９は、テープの番地を利用する例を示している。前述したように、巻き取り式の収納モジュール３１は、この例では、２枚のテープで紙幣を挟み込みながら、そのテープをリール３１１に巻き付けることによって紙幣を巻き取る。このため、図９に示すように、テープ３１５の長さ方向の位置と、リール３１１に巻き取られた各紙幣とが１対１に対応づけられる。そこで、この例では、テープ３１５の長さ方向の位置を、「テープの番地」と呼び、これを目印として利用する。テープ３１５の長さ方向の位置（つまり、テープの番地）は、収納モジュール３１内に取り付けられかつ、テープ３１５の繰り出し及び巻き戻しの状態を検知するエンコーダの出力（パルス数）から取得することが可能である。例えば入出金機１の立ち上げ時（設置初期時）に、テープ３１５の繰り出し及び巻き戻しを行うことによってエンコーダの出力とテープの番地とを対応づけるキャリブレーションを行えばよい。
【００８４】
この例では、入金処理時に、収納モジュール３１に収納される紙幣が所定の枚数となる毎に、その紙幣の巻き取り位置に対応するテープの番地が、エンコーダの出力によって特定される。そして、テープの番地情報が、通し番号と金種とに紐付けされた収納情報とし、記憶部５９に記憶される。これによって、在高情報（つまり、通し番号）と目印（つまり、テープの番地）とが対応づけられる。尚、所定の枚数毎にではなく、紙幣の一枚一枚について、テープ３１５の番地を記憶するようにしてもよい。また、取引を基準に、例えば取引の最初に収納された紙幣についてのテープ番地や、取引の最後に収納された紙幣についてのテープ番地を記憶するようにしてもよい。さらに、紙幣の枚数と取引とを組み合わせてもよい。図例では、一点鎖線の矢印で示すように、リール３１１に巻き取られた紙幣と、収納情報とが対応づけられているとする。記憶部５９に記憶されている収納情報が入金処理を行う毎に更新される点は、前記と同様である。
【００８５】
この構成では、例えば入金処理時に搬送異常が発生することによって、精査処理が必要な状況になれば、当該入金処理よりも以前に収納モジュール３１に収納した紙幣であって、テープ３１５の番地が記憶されている紙幣まで、収納モジュール３１から紙幣を繰り出して、精査処理を行う。つまり、テープ３１５の番地が記憶されている紙幣よりも前に収納している紙幣の金種及び枚数は、記憶部５９が記憶している収納情報によって確定しているためである。
【００８６】
一方、出金処理時に精査処理が必要な状況になったときも同様に、その精査処理時には、収納モジュール３１から、テープ３１５の番地が記憶されている紙幣まで繰り出す。
【００８７】
この例では、テープの番地を目印として利用し、収納モジュール３１に収納されている紙幣の少なくとも一部を繰り出すことだけで精査処理を可能にしているため、前述した区切りを利用する例と同様に、精査処理に要する時間を短縮することが可能である。また、この例でも、リール３１１に巻き取る紙幣と紙幣との間に、相対的に広い間隔の区切りを設けないため、収納モジュール３１の収納容量が減らないという利点がある。尚、紙幣とテープの番地とを対応付けることと同様に、紙幣と紙幣との間隔の部分とテープの番地とを対応付けても、同様の精査処理が可能である。
【００８８】
（出金処理から計数処理への移行）
ここで、特開２００９−９６０５号公報は、現金自動取引装置に実装される紙幣入出金機を開示している。この入出金機は、それぞれ紙幣を収納する複数の収納部を備えている。この入出金機は、出金処理において、収納部に収納している紙幣を繰り出すと共に、繰り出した紙幣の識別を識別部によって行い、その識別後に、紙幣を出金口に払い出す。この入出金機はまた、出金処理時に払い出す紙幣を収納する収納部（リサイクル庫）とは別に、出金しない紙幣を収納する収納部（入金庫）を備えている。このようにリサイクル庫と入金庫との２種類の収納部を備えた装置構成は、装置を大型化させる。又は、装置筐体の大きさが同じであれば、入金庫の分だけリサイクル庫の容量は少なくなる。
【００８９】
これに対し、国際公開第２００８／０４７０９４号は、例えば銀行等の金融機関におけるテラーカウンターに設置され、窓口業務を行うテラーが操作する紙幣入出金機を開示している。この入出金機は、リサイクル庫を備えている一方で、入金庫を備えていない。この入出金機は小型であるため、テラーカウンターの設置に有利である。
【００９０】
ところで、特開２００９−９６０５号公報に記載されている入出金機は、出金処理の際に識別不可のリジェクト紙幣が発生したときには、そのリジェクト紙幣を入金庫に収納する。
【００９１】
しかしながら、国際公開第２００８／０４７０９４号に記載されている入出金機は入金庫を備えていないため、出金処理の際に発生したリジェクト紙幣は、例えば正常紙幣と共に、出金口に払い出さなければならない。リジェクト紙幣が発生したことは、エラーメッセージによってオペレータに知らされる。また、リジェクト紙幣が発生したことによって、出金処理後に、収納部に収納されている紙幣の在高が不確定になる可能性もある。
【００９２】
このため、オペレータは、出金処理の際に、リジェクト紙幣が出金口に払い出されたときには、その出金口に払い出された紙幣について、手で、又は別の計数装置を用いて計数しなければならない。このことは、オペレータの作業を繁雑にする。また、リジェクト紙幣と正常紙幣との双方が出金口に払い出された場合は、紙幣の枚数が多くなるかもしれない。紙幣の枚数が多くなればなるほど、計数処理のためのオペレータの負担は大きくなる。そのため、リジェクト紙幣を出金口に払い出す構成においては、オペレータの負担を軽減しつつも、紙幣の管理を適切に行うことができる構成が望まれる。
【００９３】
すなわち、出金処理の際にリジェクト貨幣が発生したときの、貨幣の管理を適切に行い得る貨幣処理装置が求められている。
【００９４】
この点につき、貨幣の出金処理と前記貨幣の計数処理とを少なくとも行う貨幣処理装置として、以下のような構成の貨幣処理装置が考えられる。
【００９５】
すなわち、この貨幣処理装置は、前記貨幣を収納すると共に、収納している貨幣を繰り出すよう構成された収納部と、前記貨幣が正常貨幣であるかリジェクト貨幣であるかの識別を少なくとも行うよう構成された識別部と、前記貨幣を払い出すよう構成された出金部と、前記出金処理時には、前記収納部から必要数の貨幣を繰り出し、その各貨幣を前記識別部によって識別し、その識別後の貨幣を前記出金部に払い出すよう構成された制御部と、を備える。
【００９６】
そして、前記制御部は、前記出金処理時に、前記識別部がリジェクト貨幣を識別したときには、少なくとも当該リジェクト貨幣を前記出金部に払い出すと共に、その後に、前記出金部に払い出された前記貨幣の計数を行うための前記計数処理に移行する。
【００９７】
この構成によると、出金処理時には、収納部は、そこに収納されている貨幣を繰り出す。尚、ここでいう貨幣は、紙幣及び硬貨を含む。識別部は、収納部から繰り出された貨幣が正常貨幣であるか、リジェクト貨幣であるかを識別する。識別された貨幣は、出金部に払い出される。
【００９８】
例えば重なり合ってしまった紙幣のように、識別部が識別不可と判断したリジェクト貨幣は出金部に払い出される。リジェクト貨幣と正常貨幣との双方を、出金部に払い出してもよい。リジェクト貨幣を出金部に払い出す構成であるため、この貨幣処理装置は、リジェクト貨幣を収納するための特定の収納部（例えば、貨幣処理装置に着脱可能に取り付けられる回収カセット）を備えていない装置であってもよく、これは装置の小型化に有利である。
【００９９】
一方で、この貨幣処理装置は、リジェクト貨幣を出金部に払い出す構成であるため、出金処理時にリジェクト貨幣が発生したときには、その出金部に実際に払い出された貨幣の金種や数を確定させるための計数処理が必要となる。そこで、この貨幣処理装置は、出金処理時にリジェクト貨幣が発生したときには、貨幣の払い出し後に、出金部に払い出された貨幣の計数を行うための計数処理に移行する。貨幣処理装置が計数処理を実行することによって、オペレータは手で計数処理を行う必要がなくなり、オペレータの負担が軽減される。また、装置が実行する計数処理は、高い精度が確保される。これらのことは、リジェクト貨幣と正常貨幣との双方を出金部に払い出すことによって、計数処理の対象となる貨幣の数が多いときに、特に有利である。
【０１００】
また、出金処理を行った貨幣処理装置と同じ装置でかつ、計数処理を、出金処理に連続して行うことにより、オペレータの作業が簡略化し、オペレータの負担は、より一層軽減される。また、出金処理と計数処理との双方を同じ装置が行うことは、履歴の管理の上でも有利である。
【０１０１】
またそうして、出金処理後に計数処理を行うことにより、出金処理後の収納部の在高を確定させることが可能になる。その結果、出金処理時にリジェクト貨幣が発生した際の、貨幣の管理が適切になる。
【０１０２】
図１に示す入出金機１は、前述したように、回収カセット５３が装着されていないときには、出金処理時に発生したリジェクト紙幣を、正常紙幣と共に、出金口２３１に払い出すように構成している（図６参照）。このため、リジェクト紙幣が発生したときには、出金口２３１に払い出された紙幣の特定及びその枚数の確定のために、計数処理が必要である。また、出金口２３１に払い出された紙幣の計数をしなければ、収納部３の在高が不確定になる場合もある。このように、この入出金機１ではリジェクト紙幣を出金口２３１に払い出すように構成していることから、出金処理の際にリジェクト紙幣が発生したときには、その後に、計数処理を必ず行わなければならない。計数処理は、オペレータが手で、又は、別の計数装置（例えば、紙幣計数機）を用いて行うことが一般的である。これに対し、この入出金機１では、オペレータの負担軽減を主目的として、出金処理時にリジェクト紙幣が発生したときには、計数処理に移行するように構成されている。
【０１０３】
図１０は、入出金機１の出金処理に係るフローチャートを示している。先ず、スタート後のステップＳＡ１では、オペレータの操作によって、出金処理の実行が指定されたか否かを判定する。出金処理の実行が指定されていないとき（ＮＯのとき）には、ステップＳＡ１を繰り返す。つまり、出金処理の実行が指定されるまで待機する。出金処理の実行が指定されたとき（ＹＥＳのとき）には、ステップＳＡ２に移行する。ステップＳＡ２では、前述の通りに、出金処理を実行する。
【０１０４】
続くステップＳＡ３においては、出金処理時にリジェクト紙幣が発生したか否かを判定する。リジェクト紙幣が発生しなかったとき（ＮＯのとき）には、フローはそのまま終了する。一方、リジェクト紙幣が発生したとき（ＹＥＳのとき）には、ステップＳＡ４に移行する。このとき、記憶部５９は、リジェクト紙幣が発生した出金処理のログを、計数処理が必要な出金処理のログとして、出金処理前の在高の情報と共に、記憶する。
【０１０５】
ステップＳＡ４では、オペレータが計数処理の実行を指定したか否かを判定する。つまり、この入出金機１では、出金処理後の計数処理の実行の要否が、オペレータによって任意に選択することができるように構成されている。例えば引き続き次の出金処理を行って、窓口業務を停滞無く進める必要があるときは、次の出金処理を先に行い、その後に、計数処理を行う方がよい場合がある。そこで、この入出金機１では、出金処理後の計数処理の実行の要否を、オペレータが任意に選択する。このことは、入出金機１の使い勝手を高める。
【０１０６】
ステップＳＡ４において、計数処理の実行が指定されなかったとき（ＮＯのとき）には、ステップＳＡ６に移行する。ステップＳＡ６では、出金処理が、リジェクト紙幣が発生せずに正常に終了したか否かを判定し、正常に終了したとき（ＹＥＳのとき）には、フローを終了する。一方、正常に終了しなかったとき（ＮＯのとき）には、出金処理を再度行うべく、ステップＳＡ２に戻る。
【０１０７】
また、ステップＳＡ４において、計数処理の実行が指定されたとき（ＹＥＳのとき）には、ステップＳＡ５に移行し、計数処理を実行する。
【０１０８】
（出金処理後の計数処理）
出金処理後の計数処理は、出金口２３１に払い出された紙幣を全て（つまり、リジェクト紙幣と正常紙幣との双方を含んでいる）投入口２１１に投入し、その状態でオペレータが所定の開始操作を行うことによって開始される。図１１に示すように、入金部２１の繰り出し機構は、投入口２１１の紙幣を一枚ずつ繰り出し、処理部側搬送部４１は、各紙幣を識別部２５に搬送する。識別部２５は、各紙幣の識別と計数とを行う。処理部側搬送部４１はまた、識別部２５を通過した後の紙幣を、図１１に実線の矢印で示すように、ループ搬送路４１１から分岐機構４１７を通って払出路４１５へと搬送する。そうして、全ての紙幣は、出金口２３１に、再び払い出される。このようにして行われた計数処理の結果は、上位端末及び／又は表示部５１１に表示され、このことによりオペレータは、計数結果を認識することが可能になる。
【０１０９】
出金処理後に、入出金機１が計数処理を行うことによって、オペレータは手で計数処理を行う必要がなくなり、オペレータの負担が軽減される。また、出金処理を行った入出金機１と同じ装置で、しかも、出金処理に連続して計数処理を行うことにより、オペレータの作業は簡略化するため、オペレータの負担は、より一層軽減される。また、入出金機１が出金処理と計数処理との双方を行うことは、履歴の管理、及び、ログの追跡に有利になる。
【０１１０】
計数処理の計数結果は、前述したように上位端末や表示部５１１に表示することによって、オペレータが、出金処理時に払い出された紙幣の枚数の確認に利用することが可能である。このことにより、オペレータが、手動で、出金処理後の収納部３の在高を確定させることも可能になる。一方、計数結果を利用して、入出金機１の収納部３の在高を自動で確定させてもよい。すなわち、この計数結果は、計数処理が必要な出金処理において払い出された紙幣の金種別枚数であるから、その出金処理を行う前の在高から、計数結果を減算することによって、出金処理後の在高を確定することが可能である。
【０１１１】
尚、計数処理時にリジェクト紙幣が発生した場合は、それに関するリジェクト情報（金種及び枚数）を、例えばオペレータが手動で入力し、記憶部５９はそれを記憶する。そうして、計数処理の結果と、記憶部５９に記憶しているリジェクト情報とに基づいて、入出金機１の在高を確定させればよい。
【０１１２】
出金処理時にリジェクト紙幣が発生したときには、計数処理の実行と共に、精査処理を実行することによって、計数結果、精査結果及び出金処理前の収納部３の在高を、照合するようにしてもよい。こうした運用は、例えば出金処理から計数処理への移行に際し、出金口２３１から投入口２１１に紙幣を入れ替えたときに、紙幣の一部の投入漏れが生じてしまったような場合でも、そのことが明らかになる。つまり、出金処理時にリジェクト紙幣が発生したときの紙幣の管理を、より一層適切に行うことが可能になる。
【０１１３】
ここで、精査処理としては、収納モジュール３１に収納されている紙幣の全てを繰り出して行う、通常の精査処理としてもよいし、前述した一部精査処理としてもよい。
【０１１４】
尚、出金処理時にリジェクト紙幣が発生したときには、計数処理に移行する前に、出金処理の実行を別途指定して、出金処理を正常に完了させることによって、窓口業務を速やかに完了させるようにしてもよい。計数処理は、正常な出金処理の完了後に、実行すればよい。この場合は、リジェクト紙幣が発生したときに出金口２３１に払い出された紙幣（リジェクト紙幣及び正常紙幣を含む）は、計数処理を開始するまで、別途、管理しておけばよい。
【０１１５】
また、オペレータが計数処理を行った場合には、その計数結果を、手動で入力することにより、記憶部５９が記憶している、計数処理が必要な出金処理のログと、計数結果とを関連づけることが可能になり、出金処理後の在高が確定する。オペレータが計数処理を行った場合、入出金機１は計数処理を行う必要がないため、手動で計数結果が入力されたときには、計数処理への移行を解除すればよい。尚、計数処理が必要な出金処理のログが、記憶部５９に複数、記憶されているときには、オペレータは計数結果を入力する際に、その計数結果を関連づける出金処理のログを、手動で選択すればよい。
【０１１６】
また、出金処理後の計数処理においては、図１１に一点鎖線の矢印で示すように、収納部３に収納可能な正券は収納モジュール３１に収納するようにしてもよい。こうした運用は、入出金機１の紙幣の利用効率を高める上で有利になる。
【０１１７】
尚、前記の構成では、出金処理の終了後に、オペレータが計数処理への移行を手動で行うようにしているが（図１０のステップＳＡ４）、出金処理から計数処理への移行を、自動的に行うようにしてもよい。
【０１１８】
また、分割出金処理を行うときには、全ての紙幣の払い出しが終了した後に、計数処理に移行してもよいし、リジェクト紙幣が発生した回の紙幣の払い出しが終了した時点で出金処理を中断し、計数処理に移行してもよい。この場合は、計数処理の終了後に、出金処理を再開すればよい。
【０１１９】
また、出金処理後の計数処理（尚、この明細書において「出金処理後」には、前述した出金処理を中断することが含まれる場合がある）としては、紙幣の識別及び計数を行うこと以外にも、紙幣の計数のみを行うようにしてもよい。入出金機１が払い出した紙幣の枚数と、計数結果（紙幣の枚数）とが一致すれば、出金処理の際の出金内容に基づいて、在高を確定することが可能である。
【０１２０】
また、図５に示すように、入出金機１に一時保留部５１が装着されているときには、出金処理の際に発生したリジェクト紙幣を一時保留部５１に収納するようにしてもよい。この構成では、正常紙幣のみを出金口２３１に払い出すことによって、出金処理を正常にかつ早期に終了させ、その後に、一時保留部５１に収納したリジェクト紙幣の計数処理を行うようにしてもよい。一時保留部５１に収納していたリジェクト紙幣は、出金処理において払い出された紙幣が出金口２３１から取り除かれた後で、出金口２３１に払い出し、計数処理の際に、その紙幣を投入口２１１に投入するようにしてもよい。また、リジェクト紙幣のみついての計数処理の結果に基づいて、収納モジュール３１の在高を、手動で又は自動で、更新してもよい。特にリジェクト紙幣が、再度、識別不可と識別されたようなときには、オペレータが手動で、収納モジュール３１の在高を更新してもよい。
【０１２１】
ここに開示する技術が適用される入出金機は、テラーカウンター用の入出金機には限定されない。例えば店舗等において、売上金を入金するための入出金機に、本技術を適用してもよい。
【０１２２】
また、ここに開示する技術は、紙幣の入金及び出金を行う入出金機ではなく、収容している紙幣の払い出しを行う出金機に適用してもよい。また、紙幣に限定されず、硬貨の入出金機若しくは出金機、又は、紙幣及び硬貨の入出金機若しくは出金機に適用してもよい。
【産業上の利用可能性】
【０１２３】
以上説明したように、ここに開示した紙幣処理装置は、精査処理に要する時間を短縮することができる点で有用である。
【符号の説明】
【０１２４】
１  紙幣入出金機（紙幣処理装置）
２５  識別部（読取部）
３  収納部
３１  収納モジュール
５１３  制御部
【図１】
2012127525.tif 000003
【図２】
2012127525.tif 000004
【図３】
2012127525.tif 000005
【図４】
2012127525.tif 000006
【図５】
2012127525.tif 000007
【図６】
2012127525.tif 000008
【図７】
2012127525.tif 000009
【図８】
2012127525.tif 000010
【図９】
2012127525.tif 000011
【図１０】
2012127525.tif 000012
【図１１】
2012127525.tif 000013
【国際調査報告】
2012127525.tif 000014
2012127525.tif 000015
2012127525.tif 000016
2012127525.tif 000017